(57)【要約】【課題】各部品の製造を困難にすることなく、コイン等の異物によって回動リング部を所望の回動位置に保持する行為を防止することができる遊技機用の操作ハンドルを提供すること。【解決手段】操作ハンドル１において、本体ベース部２と回動リング部３との間には、これらの間の部材空間６１Ａの全周を埋める回動保持防止部材５Ａが回動可能に配置してある。操作ハンドル１は、回動保持防止部材５Ａと回動リング部３との間の外側開放隙間６２Ｂへコイン等の異物Ｃが差し込まれ、回動保持防止部材５Ａと回動リング部３とが密接して一体的な状態になったときには、回動保持防止部材５Ａと固定ベース部２との間には、内側開放隙間６２Ａが形成された状態を維持し、本体ベース部２に対して回動保持防止部材５Ａ及び回動リング部３を回動可能にするよう構成してある。【選択図】図２
2008279198.tif 000002
【特許請求の範囲】
【請求項１】
固定ベース部と、該固定ベース部の中心軸線回りに回動操作して、遊技球の発射強度を調節するための回動リング部と、該回動リング部を初期位置へ回動するよう付勢する付勢部材とを有する遊技機用の操作ハンドルにおいて、
上記固定ベース部と上記回動リング部との間には、当該固定ベース部と当該回動リング部との間に形成された隙間を覆う又は埋める回動保持防止部材が配置してあり、該回動保持防止部材は、上記固定ベース部と上記回動リング部とのいずれに対しても回動可能であり、
上記回動保持防止部材は、上記固定ベース部と上記回動リング部とのいずれか一方と密接して一体的な状態になったときには、他方とは所定の隙間が形成されるよう構成したことを特徴とする遊技機用の操作ハンドル。
【請求項２】
請求項１において、上記固定ベース部及び上記回動リング部には、径方向外方へ突出する凸部がそれぞれ形成してあり、
上記隙間を覆う回動保持防止部材は、上記両凸部を外周から覆うリング部と、上記両凸部を軸方向において間に挟み込む状態で、上記リング部の径方向内方へ突出する一対の挟持凸部とを有していることを特徴とする遊技機用の操作ハンドル。
【請求項３】
請求項１において、上記固定ベース部は、遊技機の前面に固定される本体ベース部であり、
上記回動リング部の後端部の外径は、上記本体ベース部の前端部の外径よりも大きくなっており、
上記本体ベース部の前端部には、段差状の縮径部が形成してあり、
上記回動保持防止部材は、上記本体ベース部の外周と上記回動リング部の内周との間に形成された隙間を埋める形状を有しており、
上記回動保持防止部材と上記本体ベース部の上記縮径部との間には、上記操作ハンドルの外部に露出しない状態で上記所定の隙間が形成されていることを特徴とする遊技機用の操作ハンドル。
【発明の詳細な説明】
【技術分野】
【０００１】
本発明は、遊技機における遊技球の発射強度を調節するための操作ハンドルに関する。
【背景技術】
【０００２】
パチンコ遊技機等の遊技機において、遊技領域への遊技球の発射強度を調節する操作ハンドルにおいては、固定ベース部に対して回動リング部を回動操作させる際に過度の摩擦を発生させないために、構造上、両者の間に適度な隙間を設ける必要がある。また、操作ハンドルは、複数の部品を組み付けて構成される。そのため、操作ハンドルにおいて、各部品の寸法公差等によるガタツキ（遊び部分）が生じ、それが隙間となって存在することになる。
【０００３】
また、通常、回動式の操作ハンドルには、上記回動リング部を初期位置へ戻すための戻りバネが設けられている。そして、遊技者は、戻りバネによる付勢力に抗して回動リング部を回動させる。このとき、狙いとする遊技球の発射強度を維持するためには、回動リング部を所定の回動位置に保持する必要があり、この保持を行うために戻りバネによる付勢力が常に遊技者の手に加わることになる。そのため、遊技者は、固定ベース部と回動リング部との隙間に、コイン等の異物を挿入して、回動リング部を所定の回動位置に保持する行為を行いたくなる。
【０００４】
パチンコ遊技機等の遊技機において、遊技領域への遊技球の発射強度を調節する操作ハンドルとしては、例えば、特許文献１に開示されたものがある。この特許文献１の弾球遊技機においては、発射装置の打撃力を調整する回動可能な回動リングと他の部材との隙間に、コイン又は遊技球を挿入して回動リングを固定する行為を阻止する固定阻止部材を設けることが開示されている。そして、特許文献１においては、回動リングの固定行為をなくし遊技の健全化に資すると共に、固定行為に起因するハンドルの破損を防止する工夫を行っている。
【０００５】
また、特許文献２の遊技機においては、遊技球を発射する勢いを回転角に基づいて制御可能な回転部材と、回転部材の両側からスラスト方向への移動を規制する一対の規制部材とを備えた発射ハンドルについて開示されている。この発射ハンドルにおいては、一対の規制部材の少なくとも一方と回転部材との隙間に隙間埋め部材を設けることにより、隙間に挿入物が挿入されるのを阻止するようにしている。
【０００６】
しかしながら、コイン等の異物によって回動リングを所望の回動位置に保持する行為を防止するためには、上記特許文献１によっても十分ではない。すなわち、回動リングを回動可能にするためには、構造上、必ず部材間には隙間が生じ、この隙間がハンドルの外部に開放されることになる。
【０００７】
一方、上記特許文献２においては、上記隙間埋め部材によって隙間をほぼ完全に埋めてしまうことを目的としている。そのため、ハンドルを構成する各部品同士の間にガタツキ（遊び部分）が生じないよう、設計上、各部品の寸法公差等を極めて小さくする必要があり、各部品の製造が困難になるだけでなく、各部品の組付誤差等もほとんど生じないようにする必要がある。
【０００８】
また、特許文献２においては、隙間埋め部材の一方の面と、規制部材又は回転部材との間に、コイン等の異物を挿入することができれば、隙間埋め部材の他方の面が回転部材又は規制部材に密接することにより、回転部材を所定の回動位置に保持することが可能になってしまう。
したがって、各部品の製造を困難にすることなく、コイン等の異物によって回動リングを所望の回動位置に保持する行為を防止するためには、更なる工夫が必要とされる。
【０００９】
【特許文献１】特開２００１−１７０２６７号公報
【特許文献２】特開２００５−２９６０３７号公報
【発明の開示】
【発明が解決しようとする課題】
【００１０】
本発明は、かかる従来の問題点に鑑みてなされたもので、各部品の製造を困難にすることなく、コイン等の異物によって回動リング部を所望の回動位置に保持する行為を防止することができる遊技機用の操作ハンドルを提供しようとするものである。
【課題を解決するための手段】
【００１１】
本発明は、固定ベース部と、該固定ベース部の中心軸線回りに回動操作して、遊技球の発射強度を調節するための回動リング部と、該回動リング部を初期位置へ回動するよう付勢する付勢部材とを有する遊技機用の操作ハンドルにおいて、
上記固定ベース部と上記回動リング部との間には、当該固定ベース部と当該回動リング部との間に形成された隙間を覆う又は埋める回動保持防止部材が配置してあり、該回動保持防止部材は、上記固定ベース部と上記回動リング部とのいずれに対しても回動可能であり、
上記回動保持防止部材は、上記固定ベース部と上記回動リング部とのいずれか一方と密接して一体的な状態になったときには、他方とは所定の隙間が形成されるよう構成したことを特徴とする遊技機用の操作ハンドルにある（請求項１）。
【００１２】
本発明の遊技機用の操作ハンドルにおいては、固定ベース部と回動リング部との間に上記回動保持防止部材を配置することにより、回動リング部を所望の回動位置に保持する行為を防止することができる。具体的には、回動保持防止部材は、固定ベース部と回動リング部とのいずれに対しても回動可能であると共に、固定ベース部と回動リング部との間の隙間を覆う形状、又はこの隙間を埋める形状に形成してある。
【００１３】
そして、遊技者等が、付勢部材により回動リング部が初期位置へ戻ることを回避するために、回動保持防止部材と固定ベース部との間に形成された隙間へコイン等の異物を差し込んだときには、この異物によって回動保持防止部材と固定ベース部とが密接して一体的な状態になるものの、回動保持防止部材と回動リング部との間には、所定の隙間が形成される。そのため、上記一体的な状態になった回動保持防止部材及び固定ベース部に対して、回動リング部を回動可能にすることができる。
【００１４】
一方、回動保持防止部材と回動リング部との間に形成された隙間へコイン等の異物を差し込んだときには、この異物によって回動保持防止部材と回動リング部とが密接して一体的な状態になるものの、回動保持防止部材と固定ベース部との間には、所定の隙間が形成される。そのため、上記一体的な状態になった回動保持防止部材及び回動リング部を、固定ベース部に対して回動可能にすることができる。
そのため、遊技者等は、コイン等の異物を用いて回動リング部を所望の回動位置に保持することができず、操作ハンドルにおいては、回動リング部を固定ベース部に対して回動操作可能に維持することができる。
【００１５】
また、本発明においては、固定ベース部と回動リング部との間に所定の隙間が形成されるように設計しても、この隙間を回動保持防止部材によって覆う又は埋めることができる。そのため、上記所定の隙間の寸法公差等を緩やかに設定することができる。さらに、回動保持防止部材は、上記所定の隙間を覆う場合には、多少大きく形成されてもその役割を果たし、上記所定の隙間を埋める場合には、固定ベース部又は回動リング部との間に多少大きな隙間が形成されてもその役割を果たす。そのため、各部品の製造が容易であり、各部品の寸法公差等によって、回動保持防止部材と固定ベース部又は回動リング部との間に形成された隙間の幅寸法にばらつきが生じても、回動リング部を固定ベース部に対して回動操作可能に維持するためにほとんど支障を生じることがない。
【００１６】
それ故、本発明の遊技機用の操作ハンドルによれば、各部品の製造及び操作ハンドルの組付を困難にすることなく、コイン等の異物によって回動リング部を所望の回動位置に保持する行為を防止することができる。
【発明を実施するための最良の形態】
【００１７】
上述した本発明における好ましい実施の形態につき説明する。
本発明において、上記固定ベース部は、遊技機の前面パネルに固定する本体ベース部とすることができる。また、上記固定ベース部は、上記操作ハンドルの前面側を覆うキャップ部とすることもできる。また、上記固定ベース部は、上記本体ベース部及びキャップ部とすることもできる。
また、上記回動リング部は、上記操作ハンドルの前面側を覆うキャップ部と一体化することができる。
また、上記回動保持防止部材は、上記固定ベース部と上記回動リング部との間の隙間の全周を覆う又は埋めるように設けることが好ましい。この場合には、上記操作ハンドルの全周に渡って異物の差込行為を防止することができる。
【００１８】
また、上記回動保持防止部材は、硬質であって低摩擦である性質の材料を用いて構成することが好ましい。回動保持防止部材としては、例えば、ポリアセタール（ＰＯＭ）、フッ素入りポリカーボネイト（ＰＣＦ）等を用いることができる。
また、上記回動保持防止部材と上記固定ベース部及び上記回動リング部との間に形成される隙間の幅寸法は、各部品（上記本体ベース部、上記回動リング部、上記回動保持防止部材等）の寸法公差、組付誤差等により生じるガタツキ（遊び）を考慮して設定することができる。
【００１９】
また、上記付勢部材は、上記回動リング部を回動可能に支持するための中心軸部に設けたねじりコイルバネとすることができる。
また、上記回動リング部の回動操作量の検出は、上記中心軸部に連結した可変抵抗器によって行うことができ、この可変抵抗器における抵抗値に基づいて、上記遊技球の発射強度を決定することができる。
【００２０】
また、上記固定ベース部及び上記回動リング部には、径方向外方へ突出する凸部がそれぞれ形成してあり、上記隙間を覆う回動保持防止部材は、上記両凸部を外周から覆うリング部と、上記両凸部を軸方向において間に挟み込む状態で、上記リング部の径方向内方へ突出する一対の挟持凸部とを有していることができる（請求項２）。
この場合には、回動保持防止部材を、固定ベース部と回動リング部との間の隙間の外周に安定して維持することができる。
【００２１】
また、上記固定ベース部の外周面には、該固定ベース部の外周面と、上記リング部における挟持凸部との間に形成された隙間の開口部の全周に対向する位置に、環状突起部を形成し、上記回動リング部の外周面には、該回動リング部の外周面と、上記リング部における挟持凸部との間に形成された隙間の開口部の全周に対向する位置に、環状突起部を形成することが好ましい。
この場合には、固定ベース部の中心軸線の方向に平行な方向からのコイン等の異物の差込行為を防止することができる。
【００２２】
また、上記固定ベース部は、遊技機の前面に固定される本体ベース部であり、上記回動リング部の後端部の外径は、上記本体ベース部の前端部の外径よりも大きくなっており、上記本体ベース部の前端部には、段差状の縮径部が形成してあり、上記回動保持防止部材は、上記本体ベース部の外周と上記回動リング部の内周との間に形成された隙間を埋める形状を有しており、上記回動保持防止部材と上記本体ベース部の上記縮径部との間には、上記操作ハンドルの外部に露出しない状態で上記所定の隙間を形成することもできる（請求項３）。
【００２３】
この場合には、遊技者等は、回動保持防止部材と回動リング部との間に形成された隙間へコイン等の異物を差し込むことができる一方、回動保持防止部材と本体ベース部の縮径部との間に形成された隙間へは、回動リング部の外周部又は回動保持防止部材が障害物になって、コイン等の異物を差し込むことが困難である。そのため、異物を差し込んで回動固定できるのは、常に回動保持防止部材と回動リング部とにすることができ、回動リング部を所望の回動位置に保持する行為をより安定して防止することができる。
【実施例】
【００２４】
以下に、本発明の遊技機用の操作ハンドルにかかる実施例につき図面と共に説明する。
（実施例１）
本例の遊技機用の操作ハンドル１は、図１、図２に示すごとく、遊技機１０の本体枠に設けられた前面パネル１１に固定する本体ベース部（本例の固定ベース部）２と、この本体ベース部２の中心軸線Ｌの回りに回動操作して、遊技球の発射強度を調節するための回動リング部３と、回動リング部３を初期位置へ回動するよう付勢する付勢部材７２とを有している。
【００２５】
図２に示すごとく、本体ベース部２と回動リング部３との間には、本体ベース部２と回動リング部３との間に形成された部材空間（隙間）６１Ａの全周を埋める回動保持防止部材５Ａが配置してある。この回動保持防止部材５Ａは、本体ベース部２と回動リング部３とのいずれに対しても回動可能である。回動保持防止部材５Ａと本体ベース部２及び回動リング部３との間には、それぞれ開放隙間６２Ａ、Ｂが形成されている。
【００２６】
そして、本例の遊技機用の操作ハンドル１は、回動保持防止部材５Ａと回動リング部３との間の外側開放隙間６２Ｂへコイン等の異物Ｃが差し込まれ、回動保持防止部材５Ａと回動リング部３とが密接して一体的な状態になったときには、回動保持防止部材５Ａと固定ベース部２との間には、所定の内側開放隙間６２Ａが形成された状態を維持し、本体ベース部２に対して回動保持防止部材５Ａ及び回動リング部３を回動可能にするよう構成してある。なお、図１、図２において、遊技機１０の前方側を矢印Ｆによって示す。
【００２７】
以下に、本例の遊技機用の操作ハンドル１につき、図１、図２と共に詳説する。
図１に示すごとく、本例の操作ハンドル１は、遊技機（パチンコ遊技機）１０における球皿１２を配設する前面パネル１１から前方に起立して配設される。
図２に示すごとく、本例の回動リング部３は、操作ハンドル１の前面側を覆うキャップ部４と一体化してある。本例の本体ベース部２は、前面パネル１１の前方へ起立した軸状部分及び略半球部分として形成してある。そして、本例の操作ハンドル１は、本体ベース部２に対して、回動リング部３の全体を回動させるよう構成してある。
【００２８】
また、回動リング部３は、その内部に位置する部分（後述する回転板３４）が、回動リング部３の内側に配置して本体ベース部２に固定した補助部材４１と本体ベース部２との間に挟持された状態で回動するよう構成してある。
また、図１に示すごとく、回動リング部３の外周には、遊技者の指を係止することができる複数の操作用突起３２が周方向の適宜箇所に形成してある。
【００２９】
図２に示すごとく、操作ハンドル１内には、回動リング部３又はキャップ部４に、遊技者が接触したことを検出するためのタッチセンサ７１が設けてある。また、本体ベース部２、回動リング部３及びキャップ部４は、合成樹脂からなり、回動リング部３の表面及びキャップ部４の表面の適宜箇所には、導電性を有する金属めっきが施してある。
タッチセンサ７１の検出部は、上記回動リング部３の表面及びキャップ部４の表面の適宜箇所に施した金属めっきと導通してある。そして、遊技機１０（図１参照）の遊技者が、この金属めっきに接触しているときには、遊技者における静電容量を検出して、遊技者が操作ハンドル１に接触していることを検知することができる。
【００３０】
操作ハンドル１内には、回動リング部３を遊技球の発射強度を弱める方向に付勢する（初期位置の方向に付勢する）ねじりコイルバネ（付勢部材）７２が配設してある。また、操作ハンドル１内には、回動リング部３の回動操作量を検出するための回動量センサ７３が配設してある。この回動量センサ７３は、可変抵抗器によって構成してあり、その検出軸が、回動リング部３に固定した回転板３４の中心部に連結した軸部３３と連結してある。そして、遊技機１０における制御装置は、回動リング部３の回動操作量に応じて、遊技機１０における球発射装置を操作して、遊技盤の遊技領域へ発射する遊技球の発射強度を調整することができる。
【００３１】
また、図２に示すごとく、回動リング部３の内側において回動リング部３に固定した回動板３４と、回動保持防止部材５Ａとには、互いに対応する周方向位置に円弧状の長孔３６、５６が形成してあり、回動リング部３の内側に配置した補助部材４１には、本体ベース部２に固定するためのボス４１１が設けてある。そして、各円弧状の長孔３６、５６と取付け用のボス４１１との係合構造により、回動リング部３は、所定の角度の範囲内（本例では約１００°の範囲内）で回動操作可能になっている。
【００３２】
また、図示は省略するが、操作ハンドル１には、回動リング部３を回動操作した状態において、遊技球の発射を停止させることができるストップスイッチが配設してある。このストップスイッチは、遊技者によって操作可能にするために本体ベース部２の外周部に先端部を突出させた操作部と、この操作部による操作状態を検出するスイッチ部とを有している。
【００３３】
また、図２に示すごとく、回動リング部３の後端部３１の外径は、本体ベース部２の前端部２１の外径よりも大きくしてあり、本例の回動リング部３の後端部３１は、本体ベース部２の前端部２１を径方向外方から覆っている。本体ベース部２の前端部２１には、本体ベース部２の外周部よりも縮径した段差状の縮径部２１１が形成してある。回動保持防止部材５Ａは、本体ベース部２の外周と回動リング部３の内周との間に形成された部材空間６１Ａの全周を埋める円盤形状を有している。
【００３４】
回動保持防止部材５Ａと本体ベース部２との間の内側開放隙間６２Ａは、回動保持防止部材５Ａの後述する段差状凸部５２と本体ベース部２の縮径部２１１の外周面との間において、操作ハンドル１の外部に露出しない状態で形成されている。
また、回動保持防止部材５Ａと回動リング部３との間の外側開放隙間６２Ｂは、回動保持防止部材５Ａと回動リング部３との間において、後方へ開放して形成されている。そして、遊技者等は、後方に向けて開口する外側開放隙間６２Ｂへコイン等の異物Ｃを差し込むことができる一方、内側開放隙間６２Ａへは、この内側開放隙間６２Ａが操作ハンドル１の外部に露出しない状態で形成されていることにより、回動リング部３の外周部（後端部）３１又は回動保持防止部材５Ａの外周部が障害物になって、コイン等の異物Ｃを差し込むことができないようになっている。
【００３５】
図２に示すごとく、回動保持防止部材５Ａの中心部には、回転板３４の中心部に連結した軸部３３を挿通する挿通穴５１が形成してある。この挿通穴５１の開口縁部は、曲面状に形成してある。
回動保持防止部材５Ａの外周面は、回動リング部３の後端部３１の内周面に沿った形状に形成してあり、回動保持防止部材５Ａの外周面の近傍位置には、本体ベース部２の縮径部２１１との間に上記内側開放隙間６２Ａを形成するための段差状凸部５２が設けてある。
【００３６】
同図に示すごとく、段差状凸部５２の内周面と本体ベース部２の縮径部２１１の外周面との間に形成された内側開放隙間６２Ａの幅寸法Ｘ１は、外側開放隙間６２Ｂの幅寸法Ｘ２、及び回動保持防止部材５Ａの挿通穴５１と軸部３３との間に形成された空隙６２２の幅寸法Ｘ３よりも大きく設定してある。これにより、外側開放隙間６２Ｂにコイン等の異物Ｃを差し込んだときには、挿通穴５１の開口縁部と軸部３３との外周面とが密接することにより、回動リング部３と回動保持防止部材５Ａとを確実に回動固定する（一体的な状態になる）一方、本体ベース部２と回動保持防止部材５Ａとが確実に回動固定されないようにすることができる。
【００３７】
また、回動保持防止部材５Ａの挿通穴５１と軸部３３との間に形成された空隙６２２の幅寸法Ｘ３を、外側開放隙間６２Ｂの幅寸法Ｘ２よりも小さくしておくことにより、外側開放隙間６２Ｂに異物Ｃが差し込まれたときには、回動保持防止部材５Ａの外周面を回動リング部３の後端部３１の内周面に当接させる前に、挿通穴５１の開口縁部を軸部３３に接触させることができる。これにより、回動固定された状態の回動リング部３と回動保持防止部材５Ａとを、本体ベース部２に対して安定して回動させることができる。
【００３８】
本例の遊技機用の操作ハンドル１においては、本体ベース部２と回動リング部３との間に上記回動保持防止部材５Ａを配置することにより、回動リング部３を所望の回動位置に保持する行為を防止することができる。具体的には、回動保持防止部材５Ａは、本体ベース部２と回動リング部３とのいずれに対しても回動可能であると共に、上記部材空間６１Ａの全周を埋める形状に形成してある。また、回動保持防止部材５Ａと本体ベース部２との間、及び回動保持防止部材５Ａと回動リング部３との間には、それぞれ開放隙間６２Ａ、Ｂが形成されている。
【００３９】
そして、遊技者等が、付勢部材７２により回動リング部３が初期位置へ戻ることを回避するために、回動保持防止部材５Ａと回動リング部３との間の外側開放隙間６２Ｂへコイン等の異物Ｃを差し込んだときには、この異物Ｃによって回動保持防止部材５Ａと回動リング部３とが密接して一体的な状態になるものの、回動保持防止部材５Ａと固定ベース部２との間には、内側開放隙間６２Ａが形成された状態が維持される。そのため、上記一体的な状態になった回動保持防止部材５Ａ及び回動リング部３を、本体ベース部２に対して回動可能にすることができる。
【００４０】
一方、遊技者等は、回動保持防止部材５Ａと本体ベース部２との間の内側開放隙間６２Ａへは、コイン等の異物Ｃを差し込むことができない。これにより、異物Ｃを差し込んで回動固定できるのは、常に回動保持防止部材５Ａと回動リング部３とにすることができ、回動リング部３を所望の回動位置に保持する行為をより安定して防止することができる。
そのため、遊技者等は、コイン等の異物Ｃを用いて回動リング部３を所望の回動位置に保持することができず、操作ハンドル１においては、回動リング部３を本体ベース部２に対して回動操作可能に維持することができる。
【００４１】
また、本例においては、固定ベース部２と回動リング部３との間に所定の部材空間６１Ａが形成されるように設計しても、この部材空間６１Ａを回動保持防止部材５Ａによって埋めることができる。そのため、部材空間６１Ａの寸法公差等を緩やかに設定することができる。さらに、回動保持防止部材５Ａは、部材空間６１Ａを埋める際に、固定ベース部２又は回動リング部３との間に多少大きな開放隙間６２Ａ、６２Ｂが形成されていても、上記条件（Ｘ１＞Ｘ３）を満たしていればその役割を果たすことができる。そのため、固定ベース部２、回動リング部３、回動保持防止部材５Ａ等の各部品の製造が容易である。
【００４２】
つまり、本例においては、設計上、各開放隙間６２Ａ、Ｂの幅寸法等の管理をする必要がなく、各部品の寸法公差等によって開放隙間６２Ａ、Ｂの幅寸法にばらつきが生じても、回動リング部３を本体ベース部２に対して回動操作可能に維持するためにほとんど支障を生じることがない。
【００４３】
それ故、本例の遊技機用の操作ハンドル１によれば、各部品の製造及び操作ハンドル１の組付を困難にすることなく、コイン等の異物Ｃによって回動リング部３を所望の回動位置に保持する行為を防止することができる。
【００４４】
（実施例２）
本例は、図３に示すごとく、回動保持防止部材５Ｂを本体ベース部２の前端部２１と回動リング部３の後端部３１との間に形成された部材隙間６１Ｂの全周を覆う形状に形成した例である。なお、図３において、遊技機１０（図示略）の前方側を矢印Ｆによって示す。
具体的には、本例の本体ベース部２の前端部２１には、径方向外方へ突出する本体側凸部２１２が形成してあり、本例の回動リング部３の後端部３１には、径方向外方へ突出する回動側凸部３１２が形成してある。
【００４５】
また、本例の回動保持防止部材５Ｂは、本体ベース部２に設けられた本体側凸部２１２及び回動リング部３に設けられた回動側凸部３１２を外周から覆うリング部５３と、リング部５３の軸方向前端部及び軸方向後端部から径方向内方へ突出する前方側挟持凸部５３１及び後方側挟持凸部５３２とを有している。そして、前方側挟持凸部５３１と後方側挟持凸部５３２との間に、本体側凸部２１２と回動側凸部３１２とを配置する（挟み込む）ことにより、回動保持防止部材５Ｂを、部材隙間６１Ｂの外周に安定して維持することができる。
【００４６】
また、図３に示すごとく、本体ベース部２の外周面には、この本体ベース部２の外周面と、後方側挟持凸部５３２との間に形成された後方側開放隙間６２Ｄの開口部の全周に対向する位置に、所定の間隔を空けて本体側環状突起部２１３が形成してある。また、回動リング部３の外周面には、この回動リング部３の外周面と、前方側挟持凸部５３１との間に形成された前方側開放隙間６２Ｃの開口部の全周に対向する位置に、回動側環状突起部３１３が形成してある。
なお、本体側環状突起部２１３（回動側環状突起部３１３）と後方側挟持凸部５３２（前方側挟持凸部５３１）の外面との間の隙間Ｘ４は、本体側凸部２１２（回動側凸部３１２）と後方側挟持凸部５３２（前方側挟持凸部５３１）の内面との間の隙間Ｘ５よりも大きく形成することができる。
【００４７】
本例においては、本体ベース部２の中心軸線Ｌの方向に平行な方向からのコイン等の異物Ｃの差込行為を防止することができる。
また、本例においては、本体側環状突起部２１３と後方側挟持凸部５３２の外面との間の隙間Ｘ４にコイン等の異物Ｃを挿入したときには、本体側凸部２１２と後方側挟持凸部５３２の内面とが当接し、本体ベース部２と回動保持防止部材５Ｂとが一体的な状態になるものの、回動側環状突起部３１３と前方側挟持凸部５３１の外面との間の隙間Ｘ４、及び回動側凸部３１２と前方側挟持凸部５３１の内面との間の隙間Ｘ５とが形成された状態が維持される。これにより、回動リング部３を、上記一体的な状態になった本体ベース部２と回動保持防止部材５Ａとに対して回動可能にすることができる。
【００４８】
なお、回動側環状突起部３１３と前方側挟持凸部５３１の外面との間の隙間Ｘ４にコイン等の異物Ｃを挿入したときにも同様に、一体的な状態になった回動リング部３及び回動保持防止部材５Ｂを、本体ベース部２に対して回動可能にすることができる。
また、本例においては、固定ベース部２又は回動リング部３との間に多少大きな部材隙間６１Ｂが形成されていても、回動保持防止部材５Ｂによって部材隙間６１Ｂを覆うことができる。そのため、固定ベース部２、回動リング部３、回動保持防止部材５Ｂ等の各部品の製造が容易である。
また、本例においても、操作ハンドル１のその他の構成は上記実施例１と同様であり、上記実施例１と同様の作用効果を得ることができる。
【００４９】
また、図４、図５に示すごとく、回動保持防止部材５Ｂは、その製造を容易にするために、前方側挟持凸部５３１は、リング部５３の軸方向前端部における周方向Ｒの複数箇所において、回動側凸部３１２に係止させる前方側爪部５５１として形成することができる。また、後方側挟持凸部５３２は、リング部５３の軸方向後端部における周方向Ｒの複数箇所において、本体側凸部２１２に係止させる後方側爪部５５２として形成することができる。
【００５０】
そして、前方側爪部５５１が容易に弾性変形できるようにするために、前方側爪部５５１の周方向の両側には、リング部５３の軸方向前端部からリング部５３の一部を切り欠いて、スリット５４を形成することができる。また、後方側爪部５５２が容易に弾性変形できるようにするために、後方側爪部５５２の周方向の両側には、リング部５３の軸方向後端部からリング部５３の一部を切り欠いて、スリット５４を形成することができる。
【００５１】
この場合には、一対の金型を用いて回動保持防止部材５Ｂを成形する際に、一対の金型を、この回動保持防止部材５Ｂの軸方向へ互いに離れるように移動させて、この回動保持防止部材５Ｂを取り出すことができる。これにより、回動保持防止部材５Ｂの製造が容易になる。
【００５２】
なお、本例においては、キャップ部４を回動リング部３とは別部材として構成した場合には、上記回動保持防止部材５Ｂは、上記本体ベース部２と一体的に固定したキャップ部４と、上記回動リング部３との間に形成された部材隙間を覆うように設けることもできる。
また、上記実施例１、２に示した操作ハンドル１は、パチンコ遊技機以外にも、アレンジボール遊技機等の種々の遊技機に採用することもできる。
なお、回動保持防止部材５Ｂは、その目的を果たすものであれば、全周に渡って設けないこともできる。
【図面の簡単な説明】
【００５３】
【図１】実施例１における、遊技機の前面パネルに配設した操作ハンドルを示す斜視図。
【図２】実施例１における、遊技機用の操作ハンドルを、側方から見た状態で示す断面説明図。
【図３】実施例２における、遊技機用の操作ハンドルを、側方から見た状態で示す部分断面説明図。
【図４】実施例２における、他の回動保持防止部材を用いた遊技機用の操作ハンドルを、側方から見た状態で示す部分断面説明図。
【図５】実施例２における、他の回動保持防止部材を概略的に示す斜視図。
【符号の説明】
【００５４】
１  操作ハンドル
１０  遊技機
２  本体ベース部（固定ベース部）
２１  前端部
２１１  縮径部
２１２  本体側凸部
２１３  本体側環状突起部
３  回動リング部
３１  後端部
３１２  回動側凸部
３１３  回動側環状突起部
４  キャップ部
５Ａ、Ｂ  回動保持防止部材
５３  リング部
５３１  前方側挟持凸部
５３２  後方側挟持凸部
６１Ａ  部材空間
６１Ｂ  部材隙間
６２Ａ〜Ｄ  開放隙間
７２  付勢部材
Ｌ  中心軸線
【図１】
2008279198.tif 000003
【図２】
2008279198.tif 000004
【図３】
2008279198.tif 000005
【図４】
2008279198.tif 000006
【図５】
2008279198.tif 000007